(57)【要約】【課題】液体分注装置Ａにおいて、分注ノズルからの液だれ、ボタ落ちの発生および分注ノズルの詰まりによる分注ミスの発生を解消する。【解決手段】液体分注装置Ａにおいて、ヘッドｃの上面には、ヘッドｃ下面に並列させて垂設した複数本の分注ノズル２…のそれぞれの上端側の開口２０と対応する部位に、透孔３０を開設し、これら透孔３０のそれぞれに、下端側を分注ノズル２の先端の針先部２ａの内径に対応する外径とした詰まり除去棒３の下半側を、水密を保持せしめて昇降自在に嵌挿し、それら詰まり除去棒３の上端側をヘッドｃの上面側に配設して昇降駆動機構ｇにより昇降するようにした作動盤４の下面側にそれぞれ連結し、その昇降駆動機構ｇの駆動を、ポンプ装置Ｐの駆動により行う分注作動に連動するよう制御せしめる。【選択図】図６
2005098900.tif 000002
【特許請求の範囲】
【請求項１】
機体ａに昇降自在に装架せるヘッドｃの内部に分配室１を設けて、ヘッドｃの下面側に並列させて垂設する複数本の分注ノズル２の各上端側を、この分配室１に接続連通させ、ポンプ装置Ｐの作動により送給する試薬等の液体を分配室１を介して各分注ノズル２に分配して分注させる分配式の液体分注装置Ａにおいて、ヘッドｃの上面には、ヘッドｃ下面に並列させて垂設した複数本の分注ノズル２…のそれぞれの上端側の開口２０と対応する部位に、透孔３０を開設し、これら透孔３０のそれぞれに、下端側を分注ノズル２の先端の針先部２ａの内径に対応する外径とした詰まり除去棒３の下半側を、水密を保持せしめて昇降自在に嵌挿し、それら詰まり除去棒３の上端側をヘッドｃの上面側に配設して昇降駆動機構ｇにより昇降するようにした作動盤４の下面側にそれぞれ連結し、その昇降駆動機構ｇの駆動を、ポンプ装置Ｐの駆動により行う分注作動に連動するよう制御して、詰まり除去棒３が分注作動時には上昇し分注作動の終了時に下降するよう制御せしめたことを特徴とする分配式液体分注装置。
【請求項２】
詰まり除去棒３の上下の中間部で、下降作動時に分注ノズル２の針先部２ａからそれの上方に連続する拡径した胴部２ｂとの移行部と対応する部位に、その移行部を栓する栓体３ａを設けたことを特徴とする請求項１記載の分配式液体分注装置。
【請求項３】
詰まり除去棒３を、それの外面形状が分注ノズル２の内面形状と相似形で、幾分小径となるよう形成したことを特徴とする請求項１記載の分配式液体分注装置。
【請求項４】
詰まり除去棒３に、それを上昇側に付勢するバネ５を連繋し、昇降駆動機構ｇを、詰まり除去棒３を下方に押し下げるカム機構８としたことを特徴とする請求項１記載の分配式液体分注装置。
【発明の詳細な説明】
【技術分野】
【０００１】
本発明は、ヘッドに設けた分注ノズルから、試薬等の液体をプレートの上面のホールに分注する主として医療における血液検査に用いる液体分注装置のうちで、ヘッドには複数の分注ノズルを多連に取り付け、それら分注ノズルに対する液体の供給を、ヘッドに設けておく分配室を介して行う分配式の液体分注装置についての改良に関する。
【背景技術】
【０００２】
分配式の液体分注装置は、通常、図１にあるよう、機体ａに昇降機構ｂにより昇降するよう支架したヘッドｃの内部に、水平な方向に展がる平盤状の空室よりなる分配室１を形成して、ヘッドｃの下面側に多連に並列させて垂設する分注ノズル２の各上端側を、この分配室１に接続させておき、図２にあるようこの分配室１に連通させてヘッドｃに装設しておく水口１０に接続する給液管１１を、機体ａとは別おきに設ける吐液量が所望に制御されるポンプ装置Ｐを介して分注液が填められているビンｄに接続しておいて、ヘッドｃを昇降機構ｂの制御で昇降させる作動に連動してポンプ装置Ｐの作動を制御せしめて、所定量の分注液をヘッドｃの内部の分配室１に送り込み、その分注液を多連に並設した分注ノズル２のそれぞれに分配して、各分注ノズル２から、機体ａに設けられる載置台上にセットされる滴定プレートｅの上面に整列して設けてある凹溝状のホールｆのそれぞれに所定量の分注液を吐出するようにしている。
【０００３】
この滴定プレートｅの上面に整列させて設ける多数のホールｆは、通常（１２×８＝９６）の９６個であり、ヘッドｃの下面に多連に並設する前述の分注ノズル２の本数は、これに対応させて９６本設けられている。
【発明の開示】
【発明が解決しようとする課題】
【０００４】
このように構成される分配式の液体分注装置は、ヘッドｃの下面に並列させて垂設した複数本の分注ノズル２…のそれぞれから分注させる試薬等の液体を、ポンプ装置Ｐの作動の制御で、所定量の液体の分注が行われるように分注ノズル２に送給することで滴定プレートｅのホールｆに対する分注作業を行うが、このとき、ポンプ装置Ｐの作動で送給する液体は、ヘッドｃ内に設けておく分配室１に一たん溜められ、この溜められた液体が、分配室１内に基端側（上端側）が挿し込まれている複数本の分注ノズル２のそれぞれの基端側の開口２０に分配されていくことで、この複数本の分注ノズル２からの液体の分注が一度に行われるようにしている。
【０００５】
このため、分配室１内に何等かの理由で空気が入り込みリークするかまたは、分配室に閉じ込められた空気の圧力が気温変化などにより変動することで、分注ノズル２から液だれや、ボタ落ちを発生させて分注量を不正確にする問題がある。また、この液だれや、ボタ落ちは、一つのプレートｅに対する分注作業を終えて、次のプレートｅに対する分注作業に移行する間にも発生し、分注作動後の検査結果を狂わせるようになる。そして、この液だれ・ボタ落ちは、分注しようとする液体の表面張力が弱いものであるときにも発生してくるようになる。
【０００６】
さらに、この分配式液体分注装置Ａは、所定の液体の分注作動後に、洗浄液を通して洗浄作動を行うが、このとき、洗浄作動が不充分であると、試薬等の液体中の成分が結晶化するなどで、凝固物が生じる。この凝固物が、分注ノズル２の先端側の針先部２ａの内腔に停滞するようになって、詰まりを生ぜしめ、その詰まった分注ノズル２の分注作動を不能とし、分注ミスを生ぜしめる問題がある。
【課題を解決するための手段】
【０００７】
本発明においては、上述の課題を解決するための手段として、機体ａに昇降自在に装架せるヘッドｃの内部に分配室１を設けて、ヘッドｃの下面側に並列させて垂設する複数本の分注ノズル２の各上端側を、この分配室１に接続連通させ、ポンプ装置Ｐの作動により送給する試薬等の液体を分配室１を介して各分注ノズル２に分配して分注させる分配式の液体分注装置Ａにおいて、ヘッドｃの上面には、ヘッドｃ下面に並列させて垂設した複数本の分注ノズル２…のそれぞれの上端側の開口２０と対応する部位に、透孔３０を開設し、これら透孔３０のそれぞれに、下端側を分注ノズル２の先端の針先部２ａの内径に対応する外径とした詰まり除去棒３の下半側を、水密を保持せしめて昇降自在に嵌挿し、それら詰まり除去棒３の上端側をヘッドｃの上面側に配設して昇降駆動機構ｇにより昇降するようにした作動盤４の下面側にそれぞれ連結し、その昇降駆動機構ｇの駆動を、ポンプ装置Ｐの駆動により行う分注作動に連動するよう制御して、詰まり除去棒３が分注作動時には上昇し分注作動の終了時に下降するよう制御せしめたことを特徴とする分配式液体分注装置を提起するものである。
【０００８】
また、これに併せて、上述の手段における詰まり除去棒３の長手方向である上下方向の中間部で、下降作動したときに、分注ノズル２の先端側の針先部２ａからそれの上方に連続する拡径する胴部２ｂに移行していく移行部２ｃと対応する部位に、この移行部２ｃに衝合して針先部２ａの内腔上端側を栓状に閉鎖する栓体３ａを装架しておく手段を提起し、
【０００９】
さらに、詰まり除去棒３を、それの外面形状が、分注ノズル２の内面形状と相似で、幾分小径となるように形成しておいて、詰まり除去棒３が、昇降駆動機構ｇの作動で下降作動を行ったときに、その詰まり除去棒３の下端側が分注ノズル２の針先部２ａに対しそれの内腔を突き抜くように嵌合していき、同時に、この詰まり除去棒３の、分注ノズル２の拡径する胴部２ｂに対応する大径とした胴部の下端側が、分注ノズル２の針先部２ａの内腔の上端側に嵌合して、針先部２ａを閉栓するようになる手段を提起し、
【００１０】
さらにまた、詰まり除去棒３の上端側を連結支持せしめる作動盤４とヘッドｃの上面側との間には、その作動盤４を上昇せしめて、詰まり除去棒３を上昇した位置に保持せしめるバネ５を介装しておき、作動盤４を昇降駆動せしめる昇降駆動機構ｇを、回転により作動盤４を押し下げる方向に作動するカム機構８とする手段を提起するものである。
【発明の効果】
【００１１】
このように構成する本発明手段においては、分注作動を終えると、詰まり除去棒３が下降して、それの下端側が、並列する複数本の分注ノズル２のそれぞれの針先部２ａの内腔を突き抜けるようになるから、その針先部２ａ内に液体から析出した結晶等の凝固物が停滞していれば、それを押し出すようになり、また、この詰まり除去棒３の長手方向の中間部に栓体３ａまたは弁体を設けておくときは、分注ノズル２の針先部２ａの上端側を閉栓するようになるから、分注ノズル２に生ずる詰まりとボタ落ち、液だれを効果的に防止し得るようになる。
【発明を実施するための最良の形態】
【００１２】
次に本発明手段の実施の態様を、実施例につき図面に従い説明する。
【実施例１】
【００１３】
図３は、本発明を実施せる分配式液体分注装置の正面図、図４は同上の平面図、図５は同上の縦断側面図、図６は同上の要部の縦断正面図、図７は同上要部の作動盤を下降させて詰まり除去棒３を下降させた状態時の縦断正面図であり、これら図において、ａは機体、ｃはその機体ａに昇降機構ｂにより昇降するように装架したヘッド、１はこのヘッドｃの内部に設けた分配室、２はヘッドｃの下面側に多連に並列させて垂設した分注ノズル、６は分配室１の下方に配位してヘッドｃ内に設けた吸引室、７は前記分注ノズル２と隣接する位置に配位してヘッドｃの下面側に並列装着した吸引ノズル、４はヘッドｃの上面の上方に配設した作動盤、３はその作動盤４の下面側に上端部を連結支持せしめて、下半側をヘッドｃの上面に設けた透孔３０を介し分配室１内に突入させ、下端側を分配室１内に上端側の開口２０が位置している分注ノズル２の内腔に挿入させた詰まり除去棒、ｇは作動盤４を昇降作動させる昇降駆動機構を示している。
【００１４】
ヘッドｃの内部に設けた分配室１は、図１・図２に示している従前手段のものと同様に、ヘッドｃに設けた水口１０に接続する給液管１１を介して、機体ａと別おきに設けられるポンプ装置Ｐに接続し、さらに、そのポンプ装置Ｐを介し検液・試薬等の液体が填められているビンｄに接続していて、そのポンプ装置Ｐの作動の制御により所定量の液体が送り込まれる。
【００１５】
そして、この分配室１に送給される液体が、並列する分注ノズル２のそれぞれに分配されて、各分注ノズル２から所定量づつ分注されていくようになっていることは、従前の分配式液体分注装置と同様である。
【００１６】
詰まり除去棒３は、図６・図７にあるように、ヘッドｃの下面側に垂設する分注ノズル２の長さより長い棒状に形成してあって、それの下半側を、ヘッドｃの上面に設けた透孔３０を介しそのヘッドｃを上下に貫通するように嵌挿し、かつ、その透孔３０にはシール材を介装することで、水密を保持してヘッドｃに対し摺動自在に昇降するようにしてある。
【００１７】
そして、この詰まり除去棒３は、前述の透孔３０を、ヘッドｃの下面側に並列させて組み付ける各分注ノズル２の上端側の開口２０と対応する位置に設けることで、嵌挿した該詰まり除去棒３の下端側が、分配室１内に並列している各分注ノズル２の上端側の開口２０からその分注ノズル２の内腔に挿入されていくようにしてあり、かつ、下降作動させたときには、下端側が図７にあるよう分注ノズル２の針先部２ａの先端から突出してくるようにしてある。
【００１８】
これら詰まり除去棒３…の各上端側は、ヘッドｃの上面の上方に配位して、ヘッドｃの上面に一体的に組み付けた枠体ｋに、上下に移動するよう支架せしめた作動盤４の下面側にそれぞれ連結支持してあって、その作動盤４の昇降作動により、一斉に昇降するようにしてある。この作動盤４を昇降作動させる昇降駆動機構ｇは、図６・図７にあるように、前述の枠体ｋの左右の両端部位に、駆動軸９０を軸支して、それにカム輪９１を装着し、このカム輪９１の駆動軸９０に対し偏芯する部位に、左右に長い回動軸９２の各軸端部を軸着連結し、この回動軸９２に、それの回動作動を上下方向の往復作動に変換するための往復動体９３をベアリング９４を介して嵌装し、この往復動体９３に、作動盤４の左右の両端部を組み付け支架せしめることで、駆動軸９０の回転により、作動盤４を昇降作動させるようにしている。
【００１９】
そして、前述の駆動軸９０には、図４にあるように、昇降機構ｂを作動させるよう機体ａに組み込まれているヘッド上下駆動モータＭ１と並列する位置に設けた詰まり除去棒駆動モータＭ２の出力軸が、伝導機構９６を介し伝導させてあって、これにより、このモータＭ２の作動の制御により作動盤４の昇降作動が行われるようにしている。
【００２０】
作動盤４の昇降作動は、前述の駆動軸９０に、回動軸９２を一体に連続させて設けて、この回動軸９２に、カム機構８を取り付け、駆動軸９０の回転によりカム機構８が作動して、それにより作動盤４を押し下げていくようにし、作動盤４とヘッドｃの上面との間に作動盤４を押し上げる方向に付勢するバネ５を介装しておくことで、昇降駆動機構ｇを構成するようにしてよい。
【００２１】
そして、この昇降駆動機構ｇは、それの作動の制御を、ポンプ装置Ｐの作動制御で分注作業を行うときに上昇作動を行い、その分注作動が終了したタイミングで下降作動を行い、次の分注作業が開始されるまで、下降位置に保持されるように、分注作業に連動させて制御せしめておく。
【図面の簡単な説明】
【００２２】
【図１】分配式液体分注装置の正面図である。
【図２】同上の平面図である。
【図３】本発明手段を実施せる分配式液体分注装置の正面図である。
【図４】同上の平面図である。
【図５】同上の一部破断した側面図である。
【図６】同上の要部の縦断正面図である。
【図７】同上要部の作動盤が下降した状態時の縦断正面図である。
【図８】同上要部の分注ノズルの拡大縦断面図である。
【図９】同上要部の縦断正面図である。
【図１０】同上要部の詰まり除去棒が下降した状態時の縦断正面図である。
【図１１】同上要部の別の実施例の縦断正面図である。
【符号の説明】
【００２３】
Ａ…液体分注装置、Ｐ…ポンプ装置、Ｍ１…ヘッド上下駆動モータ、Ｍ２…詰まり除去棒駆動モータ、ａ…機体、ｂ…昇降機構、ｃ…ヘッド、ｄ…ビン、ｅ…プレート、ｆ…ホール、ｇ…昇降駆動機構、ｋ…枠体、１…分配室、１０…水口、１１…給液管、２…分注ノズル、２ａ…針先部、２０…開口、３…除去棒、３ａ…栓体、３０…透孔、４…作動盤、５…バネ、６…吸引室、７…吸引ノズル、８…カム機構、９０…駆動軸、９１…カム輪、９２…回動軸、９３…往復動体、９４…ベアリング、９６…伝導機構。
【図１】
2005098900.tif 000003
【図２】
2005098900.tif 000004
【図３】
2005098900.tif 000005
【図４】
2005098900.tif 000006
【図５】
2005098900.tif 000007
【図６】
2005098900.tif 000008
【図７】
2005098900.tif 000009
【図８】
2005098900.tif 000010
【図９】
2005098900.tif 000011
【図１０】
2005098900.tif 000012
【図１１】
2005098900.tif 000013